(57)【要約】【課題】随時更新された介護施設や事業所の空室情報、またパンフレットや料金表、公報紙等をタイムリーに取得することができる介護情報閲覧システムを提供する。【解決手段】本発明の介護情報閲覧システムは、通信ネットワークに接続され、顧客の端末から介護情報の処理の閲覧をアクセス可能し、介護情報を提供する介護情報処理サーバを備えた介護情報閲覧システムであって、顧客管理データベースと、更新情報管理データベースと、施設情報管理データベースと、資料管理データベースと、ローカル掲示板管理データベースを備え、通信ネットワークを介して顧客端末とのアクセスを制御するアクセス制御部と、顧客端末からのアクセスに応じて、各種データベースを検索可能な検索処理部と、顧客端末に表示させる各種画面を作成する表示画面作成処理部を有することを特徴とする。【選択図】図１
2020052762.tif 000002
【特許請求の範囲】
【請求項１】
通信ネットワークに接続され、顧客の端末から介護情報の処理の閲覧をアクセス可能し、介護情報を提供する介護情報処理サーバを備えた介護情報閲覧システムであって、
少なくとも、介護情報の提供を受ける顧客に関する顧客情報が格納される顧客管理データベースと、サーバ管理者が入力した更新内容を格納する更新情報管理データベースと、検索条件と対応付けられた施設情報を格納する施設情報管理データベースと、顧客が共有する資料の登録情報を格納する資料管理データベースと、ログインした顧客が所属施設内で共有する情報を格納するローカル掲示板管理データベースを備え、
通信ネットワークを介して顧客端末とのアクセスを制御するアクセス制御部と、
顧客端末からのアクセスに応じて、前記顧客管理データベース、前記更新情報管理データベース、前記施設情報管理データベース、前記資料管理データベース及び前記ローカル掲示板管理データベースを検索可能な検索処理部と、
前記検索処理部に検索のための条件を入力するための画面、前記検索処理部による検索結果を表す表示画面、顧客端末に表示させる各種画面を作成する表示画面作成処理部を有することを特徴とする介護情報閲覧システム。
【請求項２】
行政機関、ボランティア、体操教室を含む施設情報の参照やパンフレットの入手が可能な情報ＬＩＮＫ手段とリンクしていることを特徴とする請求項１に記載の介護情報閲覧システム。
【請求項３】
検索条件が、施設名、種別、施設のある市町村等の地方公共団体、顧客の更新情報履歴、指定した住所の周辺施設、入所する部屋の料金、居室のタイプ、待機可能な期間、ロングステイかあるいはロングステイの空室か、を含むことを特徴とする請求項１又は２に記載の介護情報閲覧システム。
【請求項４】
検索条件において、複数の種別が設定可能である請求項１から３のいずれかに記載の介護情報閲覧システム。
【請求項５】
種別として、薬局、歯科、診療所、特別養護老人ホーム、病院、老人保健施設、定期巡回随時対応型訪問介護看護、介護療養型医療施設、訪問介護（ホームヘルプサービス）、居宅介護支援事務所、訪問入浴、地域包括支援センター、訪問リハビリ、夜間対応型訪問介護、通所介護（デイサービス）、看護小規模多機能、通所リハビリ（デイケア）、グループホーム、短期入所生活介護、高齢者施設（有料・サービス付き高齢者住宅）、短期入所療養介護及び介護タクシーのいずれかを含む請求項１から４のいずれかに記載の介護情報閲覧システム。
【請求項６】
顧客が、登録されている会員又は登録されていないゲストであり、会員はＩＤとパスワードを入力し、ゲストはＩＤのみの入力でログインでき、ゲストの閲覧情報は会員の閲覧情報に比べ制限されていることを特徴とする請求項１から５のいずれかに記載の介護情報閲覧システム。
【発明の詳細な説明】
【技術分野】
【０００１】
本発明は、通信ネットワークに接続され、ユーザー（被介護者等）の端末から介護情報の処理の閲覧をアクセス可能とし、介護情報を提供する介護情報処理サーバを備えた介護情報閲覧システムに関するものである。
【背景技術】
【０００２】
近年、高齢者人口の増加に伴って介護を必要とする高齢者の数が急速に増加しつつある。現在、介護支援には、ケアマネージャー（介護支援専門員）や、メディカルソーシャルワーカー（ＭＳＷ）等が携わっているが、例えば、患者の家族から介護サービス提供事業所（介護施設）へすぐに入所させたいとの依頼を受けた場合、次のような問題がある。ケアマネージャー等が上記のような依頼を受けた場合、介護サービス提供事業所が記載されている一覧表から各事業所へ電話等で連絡をして、空き情報を取得し、取得した空き情報を例えばホワイトボードへ書き込み、空きがある場合、待機が少ない事業所のパンフレットや資料等を郵送依頼する。そして、パンフレットや資料等を受け取り、これらを整理した後、依頼を受けた患者の家族への情報提供日時の調整を行う。調整が整えば、事業所へ予約を行った後、入所する。また、患者の事情や事業所の都合で調整が整わない場合、再度上記の手続をやり直さなければならない。このように、介護サービス提供事業所への入所までかなりの日数を費やすことになり、患者の家族の希望にすぐに添えないことがあり、ケアマネージャー等のかなりの負担となっていた。
【０００３】
そこで、このようなケアマネージャー等の負担を軽減すべく、例えば特許文献１には、介護施設検索の予約状況に関する介護施設予約情報を有する検索データベースと、ユーザーから利用日が与えられた場合、介護施設情報に基づいて、利用の可否を示す情報を付加して介護施設を選出する検索制御部と、ユーザーの指定した予約の可否条件に基づいて、検索制御部が選出した介護施設の情報を表示する第１のマッピング制御部と、複数の条件が与えられた場合、利用可能な介護施設を表示し、介護度に応じた一覧表示を行う第２のマッピング制御部を備えた介護施設検索システムが提案されている。
【０００４】
また、ケアマネージャー等の負担を大幅に軽減させながら、被介護者にとって満足のいく介護サービスの提供を行えるようにするため、特許文献２には、登録されている各被介護者に関する顧客情報を格納した顧客情報データベースや各介護サービス提供事業所に関するサービス情報を格納したサービス情報データベース、各介護サービス提供事業所における介護サービスの予約状況を示す予約情報を格納した予約情報データベースを情報処理サーバに接続し、情報処理サーバで、被介護者或いはその保護者からの指定に応じた介護サービスの予約処理を行う介護サービス支援システムが提案されている。この介護サービス支援システムは、介護サービスの実施計画をサービス提供表として被介護者端末やケアマネージャー端末に表示させ、これを参照した被介護者或いはその保護者やケアマネージャーから変更指示があった場合には、その指示に応じて介護サービスの実施計画を変更するようになっている。
【０００５】
また、特許文献３には、要介護者にとって最適な介護サービス提供事業所を選定できるようにするため、介護サービス提供事業所の情報を事業所ごとにサーバに格納しておき、ケアマネージャー側移動端末でサーバから各事業所の情報を読み込み、タッチパネルの表示画面に表示させる介護用情報管理システムが提案されている。これにより、要介護者と接するケアマネージャーが、自ら記憶している以上の各事業所の情報を、ケアマネージャー側移動端末を用いて要介護者に閲覧させることができるため、要介護者の要望を確認しながら、要介護者にとって最適な事業所を選定することができることとなっている。
【０００６】
さらに、特許文献４には、介護サービス提供事業所の予約を円滑に行うために、介護施設又はケアマネージャーが個別に有していた施設の設備（主にベッド）の空き状況又は利用者の利用状況を一元管理し、ケアマネージャー及び利用者の各々に対し利用予約に関して必要な情報を選択開示して介護施設の利用予約を支援する介護施設情報管理システムが提案されている。
【０００７】
しかしながら、特許文献１のシステムでは、検索条件が、ユーザーが住んでいる地域、利用希望日、介護度にとどまり、提示される検索結果もそれらに対応する施設情報に限られ、ユーザーが要望する、入所する施設の部屋の種別や、タイプ、提供される医療補助行為、入所に関しての食事形態や連携病院等の介護情報のより細かな情報は提供されない。
【０００８】
また、特許文献２のシステムでは、ケアマネージャー等の負担を軽減させ、被介護者等にとってある程度満足のいく介護サービスが提供されるものの、随時更新された介護施設等の空室情報、またパンフレットや料金表、公報紙等をタイムリーに取得することができない。また、検索条件も必要な介護サービスの種類及びその実施日時の指定であり、検索結果として提示される情報もそれらに対応するものに限られ、閲覧できる介護情報は限定的なものであった。
【０００９】
また、特許文献３のシステムでは、ケアマネージャー等が自ら記憶している以上の事業所の情報を要介護者に閲覧させることができ、ケアマネージャー等の負担が軽減されるものの、ユーザーが要望する、入所する施設の部屋の種別や、タイプ、提供される医療補助行為、入所に関しての食事形態や連携病院等の介護情報のより細かな情報は提供されない。
【００１０】
また、特許文献４のシステムでは、ケアマネージャー等には利用者と介護施設の間を調整するための情報を、利用者には介護施設の介護施設を選択するための必要な情報を、一元把握が可能なようにして、介護施設の予約を円滑にして、ケアマネージャー等の負担を軽減させることにとどまり、上記と同様、ユーザーが要望する、入所する施設の部屋の種別や、タイプ、提供される医療補助行為、入所に関しての食事形態や連携病院等の介護情報のより細かな情報は提供されない。
【先行技術文献】
【特許文献】
【００１１】
【特許文献１】特開２０１４−２２５２１３号公報
【特許文献２】特開２００５−４６０３号公報
【特許文献３】特開２０１５−９６９８７号公報
【特許文献４】特開２０１７−１５７２１０号公報
【発明の概要】
【発明が解決しようとする課題】
【００１２】
本発明は、このような従来技術の実状に鑑みてなされたもので、随時更新された介護施設や事業所の空室情報、またパンフレットや料金表、公報紙等をタイムリーに取得することができる介護情報閲覧システムを提供することを課題とする。
【００１３】
また、本発明は、サービス提供事業者の情報を大幅に短縮し、ＭＳＷやケアマネージャーの負担を軽減し業務の効率を図ることができる介護情報閲覧システムを提供することをも課題とする。
【課題を解決するための手段】
【００１４】
上記課題を解決するため、本発明によれば、
通信ネットワークに接続され、顧客の端末から介護情報の処理の閲覧をアクセス可能し、介護情報を提供する介護情報処理サーバを備えた介護情報閲覧システムであって、
少なくとも、介護情報の提供を受ける顧客に関する顧客情報が格納される顧客管理データベースと、サーバ管理者が入力した更新内容を格納する更新情報管理データベースと、検索条件と対応付けられた施設情報を格納する施設情報管理データベースと、顧客が共有する資料の登録情報を格納する資料管理データベースと、ログインした顧客が所属施設内で共有する情報を格納するローカル掲示板管理データベースを備え、
通信ネットワークを介して顧客端末とのアクセスを制御するアクセス制御部と、
顧客端末からのアクセスに応じて、前記顧客管理データベース、前記更新情報管理データベース、前記施設情報管理データベース、前記資料管理データベース及び前記ローカル掲示板管理データベースを検索可能な検索処理部と、
前記検索処理部に検索のための条件を入力するための画面、前記検索部による検索結果を表す表示画面、顧客端末に表示させる各種画面を作成する表示画面作成制御手段を有することを特徴とする介護情報閲覧システムが提供される。
【００１５】
また、本発明によれば、上記第１の発明において、行政機関、ボランティア、体操教室を含む施設情報の参照やパンフレットの入手が可能な情報ＬＩＮＫ手段とリンクしていることを特徴とする介護情報閲覧システムが提供される。
また、本発明によれば、上記第１又は第２の発明において、検索条件が、施設名、種別、施設のある市町村等の地方公共団体、顧客の更新情報履歴、指定した住所の周辺施設、入所する部屋の料金、居室のタイプ、待機可能な期間、ロングステイかあるいはロングステイの空室か、を含むことを特徴とする介護情報閲覧システムが提供される。
【００１６】
また、本発明によれば、上記第１から第３のいずれかの発明において、検索条件において、複数の種別が設定可能であることを特徴とする介護情報閲覧システムが提供される。
【００１７】
また、本発明によれば、上記第１から第４のいずれかの発明において、前記種別として、薬局、歯科、診療所、特別養護老人ホーム、病院、老人保健施設、定期巡回随時対応型訪問介護看護、介護療養型医療施設、訪問介護（ホームヘルプサービス）、居宅介護支援事務所、訪問入浴、地域包括支援センター、訪問リハビリ、夜間対応型訪問介護、通所介護（デイサービス）、看護小規模多機能、通所リハビリ（デイケア）、グループホーム、短期入所生活介護、高齢者施設（有料・サービス付き高齢者住宅）、短期入所療養介護、介護タクシーのいずれかを含む介護情報閲覧システムが提供される。
【００１８】
さらに、本発明によれば、上記第１から第５のいずれかの発明において、顧客が、登録されている会員又は登録されていないゲストであり、会員はＩＤとパスワードを入力し、ゲストはＩＤのみの入力でログインでき、ゲストの閲覧情報は会員の閲覧情報に比べ制限されていることを特徴とする介護情報閲覧システムが提供される。
【発明の効果】
【００１９】
本発明によれば、随時更新された介護施設や事業所の空室情報、またパンフレットや料金表、公報紙等をタイムリーに取得することができる介護情報閲覧システムを提供することが可能となる。
【００２０】
また、本発明によれば、介護施設の予約のみならず、介護施設に関係する各種の介護情報を閲覧できる介護情報閲覧システムを提供することができる。
【００２１】
また、本発明によれば、多種の検索条件の設定により、顧客の希望に適する介護情報を閲覧できる介護情報閲覧システムを提供することができる。
【００２２】
さらに、本発明によれば、サービス提供事業者の情報を大幅に短縮し、ＭＳＷやケアマネージャーの負担を軽減し業務の効率を図ることができるようになる。
【図面の簡単な説明】
【００２３】
【図１】本発明の介護情報閲覧システムの一実施形態を模式的に示すブロック図である。
【図２】介護情報閲覧システムの画面フローを示す図である。
【図３】ホ−ム画面を示す図である。
【図４】会員が更新情報画面、施設検索画面、資料一覧画面、及びローカル掲示板画面へそれぞれ移動できることを示す図である。
【図５】ゲストが施設検索画面へ移動できることを示す図である。
【図６】更新情報画面を示す図である。
【図７】施設検索画面を示す図である。
【図８】資料一覧画面を示す図である。
【図９】ローカル表示板画面を示す図である。
【図１０】ホーム画面を示す図である。
【図１１】ログイン画面を示す図である。
【図１２】ログイン後にＴＯＰ画面に移動したことを示す図である。
【図１３】更新情報画面に移動した図である。
【図１４】施設検索画面に移動した図である。
【図１５】資料一覧画面に移動した図である。
【図１６】ローカル掲示板画面に移動した図である。
【図１７】お気に入りリスト画面を示す図である。
【図１８】設定画面を示す図である。
【図１９】更新情報画面を示す図である。
【図２０】検索条件を「お気に入り」として登録できる画面を示す図である。
【図２１】施設検索画面を示す図である。
【図２２】その他検索画面を示す図である。
【図２３】印刷パターン選択画面を示す図である。
【図２４】お気に入り登録画面を示す図である。
【図２５】料金がソートされた状態を示す図である。
【図２６】待機者がソートされた状態を示す図である。
【図２７】データがある施設の絞込まれた状態を示す図である。
【図２８】地図に表示された施設の位置にマークが表示された状態を示す図である。
【図２９】資料一覧画面を示す図である。
【図３０】資料登録画面を示す図である。
【図３１】編集画面を示す図である。
【図３２】ローカル掲示板画面を示す図である。
【図３３】掲示板書込みフォーム画面を示す図である。
【図３４】編集画面を示す図である。
【図３５】施設詳細画面を示す図である。
【図３６】更新内容書込みフォーム画面を示す図である。
【図３７】資料取込画面を示す図である。
【図３８】施設情報印刷パターン選択画面を示す図である。
【図３９】ＦＡＸ送信状画面を示す図である。
【図４０】施設新規作成モード画面を示す図である。
【図４１】施設詳細画面のレイアウト編集画面を示す図である。
【図４２】拡張情報追加画面を示す図である。
【図４３】種別選択画面を示す図である。
【図４４】所在地の地図を示す図である。
【図４５】施設編集モード画面を示す図である。
【図４６】施設基本情報の画面を示す図である。
【図４７】施設更新内容を示す図である。
【図４８】施設対応可否情報の画面を示す図である。
【図４９】施設拡張情報画面を示す図である。
【図５０】施設拡張情報画面を示す図である。
【図５１】連携施設追加画面を示す図である。
【図５２】資料取込画面を示す図である。
【図５３】設定画面を示す図である。
【図５４】ユーザー登録画面を示す図である。
【図５５】パスワード変更画面を示す図である。
【発明を実施するための形態】
【００２４】
以下、本発明の介護情報閲覧システムを実施形態に基づき詳述する。
【００２５】
図１は、本発明の介護情報閲覧システムの一実施形態を模式的に示すブロック図である。本実施形態の介護情報閲覧システムでは、インターネット１０により各顧客端末１１と介護情報処理サーバ１２が接続されている。介護情報処理サーバ１２は、アクセス制御部１３と、表示画面作成処理部１４と、検索処理部１５を備えるとともに、データベースとして、顧客管理データベース１６、更新情報管理データベース１７、施設情報管理データベース１８、資料管理データベース１９及びローカル掲示板管理データベース２０を有する。顧客管理データベース１６は、介護情報の提供を受ける顧客に関するＩＤ、パスワードを含む各種顧客情報を格納する。更新情報管理データベース１７は、サーバ管理者が入力した各種情報の更新内容を格納する。施設情報管理データベース１８は、検索条件と対応付けられた施設情報を格納する。資料管理データベース１９は、顧客が共有する資料の登録情報を格納する。ローカル掲示板管理データベース２０は、ログインした顧客が所属施設内で共有する情報を格納する。アクセス制御部１３は、インターネット１０を介して顧客端末１１と介護情報処理サーバ１２とのアクセスを制御する。検索処理部１５は、顧客端末１１からのアクセスに応じて、顧客管理データベース１６、更新情報管理データベース１７、施設情報管理データベース１８、資料管理データベース１９及びローカル掲示板管理データベース２０を検索し、必要な情報を取得する。表示画面作成処理部１４は、検索処理部１５に検索のための条件を入力するための画面、検索処理部１５による検索結果を表す表示画面、顧客端末１１に表示させる各種画面を作成する。介護情報処理サーバ１２は、例えばパソコンを利用することができる。この介護情報処理サーバ１２には、主記憶装置等に予め、システムを動作させるアプリケーションプログラムを搭載しておく。
【００２６】
次に、図面を参照して、本実施形態の介護情報閲覧システムを用いた介護情報の閲覧について詳述する。
【００２７】
＜画面フロー＞
図２に、介護情報閲覧システムの画面フローを示す。
【００２８】
ここには、ＨＰ（ホ−ム）画面→ＴＯＰ画面→更新情報画面・施設検索画面・資料一覧画面・ローカル掲示板画面が示されている。
【００２９】
＜ホ−ム画面＞
図３はホ−ム画面を示す。このホ−ム画面は、顧客端末１１から介護情報閲覧システムの介護情報処理サーバ１２にアクセスした時に表示される最初の画面である。会員はＩＤとパスワードでログインし、ゲストはＩＤとパスワード無しでログインするようになっている。ログインのための認証に関するデータは顧客管理データベース１６に格納されており、適宜更新可能となっている。
【００３０】
＜ＴＯＰ画面＞
会員は、図３のホーム画面において「会員の方はコチラ」をクリックすると図４に示すような画面が表示され、その画面中の「更新情報」、「施設検索」、「資料一覧」、「ローカル掲示板」をクリックすれば、更新情報画面、施設検索画面、資料一覧画面、及びローカル掲示板画面へそれぞれ移動できるようになっている。これらの表示画面は表示画面作成処理部１４により選択され、表示される。また、図４の画面中、★を選択することで、「お気に入り一覧」を表示することができる。さらに、設定画面の表示、文字サイズの変更、情報ＬＩＮＫ一覧の表示、ログアウトができるようになっている。
【００３１】
ゲストは、図３のホーム画面において「ゲストの方はコチラ」をクリックすると図５に示すような画面が表示される。この画面で「施設検索」をクリックすると施設検索画面へ移動できるようになっている。この表示画面は表示画面作成処理部１４により選択され、表示される。ゲストは、会員に比べ、使用できる機能が制限されている。また、文字サイズの変更、情報ＬＩＮＫ一覧の表示、ログアウトができるようになっている。
【００３２】
＜更新情報画面＞
図６は、会員用の更新情報画面を示す。更新情報画面では、エリア検索、種別検索、更新内容の種類での検索、表示件数の選択、文字サイズの変更、更新情報の一覧での閲覧ができるようになっている。図６の画面に表示されるデータは更新情報管理データベース１７に格納されており、適宜更新可能となっている。この閲覧は、顧客端末１１からの要求に応じて、検索処理部１５及び表示画面作成処理部１４の動作により可能となっている。更新情報は、新着順の表示となる。また、ＴＯＰページに戻ることができる
＜施設検索画面＞
図７は、会員用及びゲスト用の施設検索画面を示す。施設検索画面では、施設登録、五十音検索、名称・かなでの検索、種別検索、エリアでの検索、更新内容の種類での検索、周辺施設の検索、印刷、その他検索（料金、居室タイプ、空室(ロングステイ、ショートステイ)、待機者）、表示件数の選択、文字サイズの変更、施設情報の一覧での閲覧ができるようになっている。図７の画面に表示されるデータは施設情報管理データベース１８に格納されており、適宜更新可能となっている。この閲覧も、顧客端末１１からの要求に応じて、検索処理部１５及び表示画面作成処理部１４の動作により可能となっている。また、ＴＯＰページに戻ることができる。
【００３３】
＜資料一覧画面＞
図８は、会員用の資料一覧画面を示す。資料一覧画面では、新規登録、五十音検索、種類検索、名称・かなでの検索、表示件数の選択、文字サイズの変更、資料情報の一覧での閲覧、内容の変更ができるようになっている。図８の画面に表示されるデータは資料管理データベース１９に格納されており、適宜更新可能となっている。この閲覧も、顧客端末１１からの要求に応じて、検索処理部１５及び表示画面作成処理部１４の動作により可能となっている。また、ＴＯＰページに戻ることができる。
【００３４】
＜ローカル掲示板画面＞
図９は、会員用のローカル表示板画面を示す。ローカル表示板画面では、新規登録、内容の検索、表示件数の選択、文字サイズの変更、掲示板内容の一覧での閲覧、内容の変更ができるようになっている。図９の画面に表示されるデータはローカル掲示板管理データベース２０に格納されており、適宜更新可能となっている。この閲覧も、顧客端末１１からの要求に応じて、検索処理部１５及び表示画面作成処理部１４の動作により可能となっている。また、ＴＯＰページに戻ることができる。
【００３５】
次に、各画面とそれらの使用法を更に詳細に説明する。
【００３６】
＜ホ−ム画面＞
図１０は、顧客端末１１の表示部に表示されたホ−ム画面を示す。図１０の<1>（以下、図面中の丸囲み数字を便宜上山ガッコ内に数字を記載した表示で示す）では、会員は「会員の方はコチラ」をクリックすることで、図１１に示す「ログイン」画面が表示される。ログインＩＤとパスワードを入力してログインする。ゲストは図１０の<2>「ゲストの方はコチラ」をクリックすることで「ログイン」ができる。ゲストはログインＩＤとパスワード無しでログインできるが、機能が制限されている。入力されたログイン情報は介護情報処理サーバ１２のアクセス制御部１３が受け取り、顧客管理データベース１６に格納されているログイン情報を基に認証を行う。ログイン後は、図１２に示すＴＯＰ画面に移動する。ＴＯＰ画面は、各画面（更新情報・施設検索・資料一覧・ローカル掲示板）に移動できるボタン、設定画面の表示、情報ＬＩＮＫの閲覧ができる画面である。
【００３７】
図１２の<1>では、更新情報ボタンをクリックして図１３の「更新情報」画面に移動する。
【００３８】
図１２の<2>では、施設検索ボタンをクリックして図１４の「施設検索」画面に移動する。
【００３９】
図１２の<3>では、資料一覧ボタンをクリックして図１５の「資料一覧」画面に移動する。
【００４０】
図１２の<4>では、ローカル掲示板ボタンをクリックして図１６の「ローカル掲示板」画面に移動する。
【００４１】
図１２の<5>では、★をクリックすることで図１７の「お気に入りリスト」画面が表示される。「お気に入りリスト」をクリックすることで登録した画面に移動し、「閉じる」ボタンをクリックすることで「お気に入りリスト」画面が閉じ、「削」ボタンをクリックすることで「お気に入り」の削除ができる。
【００４２】
図１２の<6>では、設定ボタンをクリックすることで図１８の「設定」画面が表示される。ユーザー登録ボタンをクリックして「ユーザー登録」画面が表示され、パスワード変更ボタンをクリックして「パスワード変更」画面を表示される。
【００４３】
図１２の<7>では、ログアウトをクリックして介護情報閲覧システムからログアウトする。
【００４４】
図１２の<8>では、情報ＬＩＮＫの表示（全て、行政機関、ボランティア・体操教室等、その他）を切り替える。
【００４５】
図１２の<9>では、施設名をクリックして「施設詳細」画面を表示する。
【００４６】
図１２の<10>では、新規ボタンをクリックして「施設新規登録」画面を表示する。
【００４７】
図１２の<11>では、文字サイズ（大・中・小）をクリックして文字サイズを変更する。
【００４８】
＜更新情報画面＞
更新情報画面は、図１９に示すように、施設が入力した更新内容を閲覧できる画面である。
【００４９】
図１９の<1>では、市町村で検索できる。
【００５０】
図１９の<2>では、高齢者施設や短期入所生活介護などの種別から検索できる。
【００５１】
図１９の<3>では、更新内容の種類から検索できる。
【００５２】
図１９の<4>では、表示件数を選択（10・20・50・100）できる。初期設定は 20 件である。
【００５３】
図１９の<5>では、「＜」「＞」ボタンをクリックしてページ移動できる。
【００５４】
図１９の<6>では、件数を表示する。
【００５５】
図１９の<7>では、施設名をクリックして「施設詳細」画面を表示する。
【００５６】
図１９の<8>では、★をクリックすることで「お気に入り登録」画面が表示される。図２０は、検索条件を「お気に入り」として登録できる画面である。名称を入力して「登録」ボタンのクリックで「お気に入り」に登録し、「キャンセル」ボタンをクリックすることで「お気に入り登録」画面が閉じ、「削」ボタンをクリックすることで「お気に入り」の削除ができる。
【００５７】
図１９の<9>では、「ＴＯＰへ戻る」をクリックしてＴＯＰ画面に戻る。
【００５８】
図１９の<10>では、文字サイズ（大・中・小）をクリックして文字サイズを変更する。
【００５９】
＜施設検索画面＞
施設検索画面は、図２１に示すように、種別や名称・かな、距離を指定した周辺施設など、さまざまな条件から施設を検索する画面である。
【００６０】
図２１の<1>では、「施設登録」ボタンをクリックして「施設詳細」画面を表示する。
【００６１】
図２１の<2>では、五十音検索ができる。
【００６２】
図２１の<3>では、名称・かなで検索ができる。
【００６３】
図２１の<4>では、名称・かなでの検索方法（部分一致・前方一致・全ての情報）を選択できる。
【００６４】
図２１の<5>では、高齢者施設や短期入所生活介護などの種別から検索できる（種別は複数選択可能）。
【００６５】
図２１の<6>では、市町村で検索ができる（エリアは複数選択可能）。
【００６６】
図２１の<7>では、更新内容の種類から検索できる。
【００６７】
図２１の<8>では、入力した住所と距離の指定で周辺施設の検索ができる。
【００６８】
図２１の<9>では、「その他検索」ボタンをクリックすることで、図２２に示す「その他検索」画面が表示され、次の情報が検索できる。
【００６９】
・料金の選択
・居室タイプの選択（複数選択可能）
・空室（ロングステイ、ショートステイ）の選択
・待機者の選択
以上のいずれかを選択して、「検索」ボタンをクリックすることで検索でき、「閉じる」ボタンをクリックすることで「その他検索」画面が閉じる。
【００７０】
図２１の<10>では、表示の切替（一覧、地図）を行う。
【００７１】
図２１の<11>では、表示件数を選択（10・20・50・100）できる。初期設定は 20 件である。
【００７２】
図２１の<12>では、「＜」「＞」ボタンをクリックしてページ移動できる.
図２１の<13>では、件数を表示する。
【００７３】
図２１の<14>では、施設名をクリックして「施設詳細」画面を表示する。
【００７４】
図２１の<15>では、「検索」ボタンをクリックすることで<1>〜<9>の設定条件で検索する。
【００７５】
図２１の<16>では、「全てクリア」ボタンをクリックすることで<1>〜<9>の設定条件をリセットする。
【００７６】
図２１の<17>では、「印刷 MENU」ボタンをクリックすることで、図２３に示す「印刷パターン選択画面」が表示される。「基本＋メモ」ボタンは、施設の基本情報とメモ記入欄を印刷し、「基本＋料金」ボタンは、施設の基本情報と総料金を印刷し、「基本＋更新」ボタンは、施設の基本情報と最新の更新情報を印刷し、「閉じる」ボタンをクリックすることで「印刷パターン選択画面」が閉じる。
【００７７】
図２１の<18>では、★をクリックすることで、図２４に示す「お気に入り登録」画面が表示される。検索条件を「お気に入り」として登録できる画面である。名称を入力して「登録」ボタンのクリックで「お気に入り」に登録し、「キャンセル」ボタンをクリックすることで「お気に入り登録」画面が閉じ、「削」ボタンをクリックすることで「お気に入り」の削除ができる。
【００７８】
図２１の<19>では、「ＴＯＰへ戻る」ボタンをクリックしてＴＯＰ画面に戻る
図２１の<20>では、文字サイズ（大・中・小）をクリックして文字サイズを変更する。
【００７９】
図２５の<21>では、図２５に示すように、料金のソートができる（昇順又は降順）。
【００８０】
図２５の<22>では、空室ロングステイ、ショートステイのソートができる（昇順又は降順）。
【００８１】
図２５の<23>では、図２６に示すように、待機者のソートができる（昇順又は降順）。
【００８２】
図２６の<24>では、□のボックスにチェックをつけると、図２７に示すように、データがある施設の絞込みができる。
【００８３】
図２７の<25>では、施設一覧の「地図」ボタンをクリックすると地図検索ができる。
【００８４】
図２７の<26>では、位置を検索したい施設にチェックをつける。
【００８５】
図２７の<27>では、<26>でチェックを付けた施設を「地図へ」ボタンをクリックして地図に表示する。
【００８６】
図２７の<28>では、図２８に示すように、地図に表示された施設の位置にマークが表示される。
【００８７】
図２８の<29>では、「●」ボタンをクリックすると地図を拡大して表示する。
【００８８】
図２８の<30>では、<29>で選択した施設の位置にマークが表示される。
【００８９】
＜資料一覧画面＞
図２９に資料一覧画面を示す。資料一覧画面は、施設固有の資料ではなく、みんなで共有する資料の登録と閲覧ができる画面である。
図２９の<1>では、「新規」ボタンをクリックすることで、図３０で示す「資料登録画面」が表示される。
【００９０】
ここでは、次の作業を行う。
【００９１】
・更新日をカレンダー（※１）から選択して入力する。
【００９２】
・ふりがなを入力する。
【００９３】
・資料名称を入力する。
【００９４】
・資料の種類を選択する。
【００９５】
・コメントを入力する。
【００９６】
・「参照」ボタンをクリックすることで資料の選択ができる。
【００９７】
・「登録」ボタンをクリックすることで内容の登録ができる。
【００９８】
・「キャンセル」ボタンをクリックすることで資料登録画面が閉じる。
【００９９】
図２９の<2>では、五十音検索ができる。
【０１００】
図２９の<3>では、医学一般や介護教材などの種類から検索ができる。
【０１０１】
図２９の<4>では、名称・かなで検索ができる。
【０１０２】
図２９の<5>では、表示件数を選択（10・20・50・100）できる。初期設定は２０件である。
【０１０３】
図２９の<6>では、「＜」「＞」ボタンをクリックしてページ移動できる。
【０１０４】
図２９の<7>では、件数を表示する。
【０１０５】
図２９の<8>では、図３１に示すように、資料名をクリックすることで編集画面が表示される。
【０１０６】
※編集の操作や入力内容は<1>を参照
・「削除」ボタンをクリックすることで登録内容を削除する。
【０１０７】
図２９の<9>では、アイコンをクリックして資料を表示する
図２９の<10>では、「検索」ボタンをクリックして<1>〜<4>で設定した条件で検索する。
【０１０８】
図２９の<11>では、「全てクリア」ボタンをクリックして<1>〜<4>で設定した条件をリセットする。
【０１０９】
図２９の<12>では、「ＴＯＰへ戻る」ボタンをクリックしてＴＯＰ画面に戻る。
【０１１０】
図２９の<13>では、文字サイズ（大・中・小）をクリックして文字サイズを変更する。
【０１１１】
＜ローカル掲示板画面＞
図３２にローカル掲示板画面を示す。ローカル掲示板画面は、ログインしたユーザーが所属する施設内で情報共有する画面である。
図３２の<1>において、「書込み」ボタンをクリックすることで、図３３に示す「掲示板書込みフォーム」画面が表示される。
【０１１２】
ここでは、次の作業を行う。
【０１１３】
・内容を入力する。
【０１１４】
・「登録」ボタンをクリックすることで内容が登録される。
【０１１５】
・「キャンセル」ボタンをクリックすることで掲示板書込みフォーム画面が閉じる。
【０１１６】
図３２の<2>では、キーワードを入力してローカル掲示板の内容から検索できる。
【０１１７】
図３２の<3>では、「検索」ボタンをクリックして<2>で入力した内容で検索する。
【０１１８】
図３２の<4>では、表示件数を選択（10・20・50・100）できる。初期設定は 20 件である。
【０１１９】
図３２の<5>では、「＜」「＞」ボタンをクリックしてページ移動できる。
【０１２０】
図３２の<6>では、件数を表示する。
【０１２１】
図３２の<7>では、内容をクリックすることで、図３４に示す編集画面が表示される。
【０１２２】
※編集の操作や入力内容は<1>を参照。
【０１２３】
・「削除」ボタンをクリックすることで登録内容を削除する。
【０１２４】
図３２の<8>では、「ＴＯＰへ戻る」ボタンをクリックしてＴＯＰ画面に戻る。
【０１２５】
図３２の<9>では、文字サイズ（大・中・小）をクリックして文字サイズを変更する。
【０１２６】
＜施設詳細画面＞
図３５は、施設詳細画面を示す。施設詳細画面は、施設情報の閲覧と入力、更新内容書込みや資料取込など行う画面である
図３５の<1>では、「新規」ボタンをクリックすることで新規作成モードになる。
【０１２７】
図３５の<2>では、「編集」ボタンをクリックすることで編集モードになる。
【０１２８】
図３５の<3>では、「更新内容書込」ボタンをクリックすることで、図３６に示す 「更新内容書込みフォーム」画面が表示される。ここでは、次の作業を行う。
【０１２９】
・「種類」は更新内容の種類を選択する。
【０１３０】
・「内容」は選択した種類の内容について入力する。
【０１３１】
・「登録」ボタンをクリックすることで内容の登録ができる。
【０１３２】
・「キャンセル」ボタンをクリックするとこで「更新内容書込みフォーム」画面が閉じる。
【０１３３】
図３５の<4>では、「資料取込」ボタンをクリックすることで、図３７に示す「資料取込画面」が表示される。ここでは、次の作業を行う。
【０１３４】
・「タイトル」は資料のタイトルを入力する。
【０１３５】
・「資料」は「参照」ボタンをクリックすることで取り込むファイルの選択ができる。
【０１３６】
・「登録」ボタンをクリックすることで内容の登録ができる。
【０１３７】
・「キャンセル」ボタンをクリックすることで「資料取込画面」が閉じる。
【０１３８】
図３５の<5>では、「印刷プレビュー」ボタンをクリックすることで、図３８に示す「施設情報印刷パターン選択画面」が表示される。ここでは、次の作業を行う。
【０１３９】
・「地図」のあり、なしが選択できる。
【０１４０】
・「更新情報」のあり、なしが選択できる。
【０１４１】
・「印刷」ボタンをクリックすることで、地図と更新情報で選択した内容で印刷できる。
【０１４２】
・「閉じる」ボタンをクリックすることで「施設情報印刷パターン選択画面」が閉じる。
【０１４３】
図３５の<6>では、「印刷プレビュー」ボタンをクリックすることで、図３９に示す「ＦＡＸ 送信状」画面が表示される。ここでは、次の作業を行う。
【０１４４】
・<1>〜<6>には必要な内容を入力する。
【０１４５】
・「印刷」ボタンをクリックすることで「ＦＡＸ送信状」の印刷ができる。
【０１４６】
図３５の<7>では、「更新内容が書き込まれた時にお知らせメールを送信する」にチェックをつけることで、更新情報が書き込まれた時にメールで知らせる。
【０１４７】
※メールアドレスは「設定」画面で設定できる。
【０１４８】
図３５の<8>では、「閉じる」ボタンをクリックすることで「施設詳細画面」を閉じる。
【０１４９】
図３５の<9>では、最終更新日を表示する。
【０１５０】
図３５の<10>では、施設情報を表示する。
【０１５１】
図３５の<11>では、「ホームページ」のリンクをクリックすることでホームページ画面を表示する。
【０１５２】
図３５の<12>では、「情報公表システム URL」のリックをクリックすることで情報公表システムのページを表示する。
【０１５３】
図３５の<13>では、取り込んだ資料の編集や資料情報を表示する。
【０１５４】
図３５の<14>では、文字サイズ（大・中・小）をクリックして文字サイズを変更する。
【０１５５】
＜施設新規作成モード＞
図４０に、施設新規作成モードの画面を示す。ここでは、施設情報の新規登録と編集を行う。
図４０の<1>では、「レイアウト編集」ボタンをクリックして図４１に示す施設詳細画面のレイアウト編集画面を表示する。ここでは、次の作業を行う。
【０１５６】
・医療補助行為、資料取込、拡張情報にチェックを付けることでレイアウト編集を表示する。
【０１５７】
・「閉じる」ボタンをクリックすることで「レイアウト編集画面」が閉じる
図４０の<2>では、「拡張情報追加」ボタンをクリックして、図４２に示す拡張情報追加画面を表示する。ここでは、次の作業を行う。
【０１５８】
・窓口（担当）、料金、食事形態、連携医院、連絡先、職員体制、診療科目、部屋について、保証人なしの対応、加算、備考にチェックを付けることで入力エリアを表示する。
【０１５９】
・「閉じる」ボタンをクリックすることで「拡張情報追加画面」を閉じる。
図４０の<3>では、「登録」ボタンをクリックすることで内容の登録をする。
図４０の<4>では、「キャンセル」ボタンをクリックすることで新規登録モードをキャンセルする。
図４０の<5>は、施設の基本情報を入力するエリアである。
図４０の<6>では、「選択」ボタンをクリックすることで、図４３に示す「種別選択画面」を表示する。ここでは、次の作業を行う。
【０１６０】
・施設の種別を選択して、「登録」ボタンをクリックすることで選択した種別を登録する。
【０１６１】
・「キャンセル」ボタンをクリックすることで種別選択画面を閉じる。
【０１６２】
図４０の<7>では、所在地の「地図」ボタンをクリックすることで、図４４に示す地図を表示する。
【０１６３】
図４０の<8>は、施設の更新内容を表示するエリアである。
【０１６４】
図４０の<9>は、施設の対応可否情報や医療補助行為を入力するエリアである。
【０１６５】
図４０の<10>は、施設の拡張情報を入力するエリアである。
【０１６６】
図４０の<11>は、施設の資料取込一覧を表示するエリアである。
【０１６７】
図４０の<12>では、文字サイズ（大・中・小）をクリックして文字サイズを変更する。
【０１６８】
＜施設編集モード＞
図４５に、施設編集モードの画面を示す。施設編集モードでは施設情報の新規登録と編集を行う。
【０１６９】
＜施設基本情報画面＞
図４５の<1>では、「削除」ボタンをクリックすることで施設情報を削除し、図４６に示す施設基本情報の画面とする。
【０１７０】
図４６での入力項目は次のとおりである。
【０１７１】
［入力項目］
種別と空室情報
・種別の選択
・居室タイプ
・空室（ロングステイ、ショートステイ）
・待機者
施設情報
・施設番号
・法人名
・ふりがな
・施設名
・郵便番号
・所在地
・電話番号
・FAX
・直通電話
・Email
・ホームページ
・情報公表システム URL
・検索キーワード
・備考
・施設 PR
・交通情報
・定員
・営業日時
図４６では、次のようになっている。
【０１７２】
・種別ごとに入力する内容が増減する。
【０１７３】
・種別、居室タイプはチェックタイプである。
【０１７４】
居室タイプは複数選択可能
・待機者、検索キーワード（エリア）は選択タイプである。
【０１７５】
・その他の項目はフリー入力である。
【０１７６】
図４７に、施設更新内容の図を示す。
【０１７７】
図４７での表示項目は次の通りである。
【０１７８】
［表示項目］
・日付
・更新内容の種類
・内容
図４７では、最新の更新情報から表示する。
【０１７９】
また、内容をクリックすることで編集や削除ができる。
【０１８０】
＜施設対応可否情報画面＞
図４８に、施設対応可否情報の画面を示す。
【０１８１】
図４８では、入力項目は次のようになっている。
【０１８２】
［入力項目］
・予防給付
・総合事業
・基準該当
・介護CP 空き
・予防CP 空き医療補助行為
・経鼻栄養法
・胃瘻栄養法
・経腸栄養法
・中心静脈栄養法
・末梢静脈栄養法
・点滴
・喀痰吸引
・糖尿病
・悪性腫瘍（癌）
・認知症
・インスリン投与
・人口肛門（ストーマ）
・膀胱留置バルーンカテーテル
・在宅酸素療法
・心臓ペースメーカー
・褥瘡の処置
・看取り
・人工透析
・気管切開
・人工呼吸器
図４８の<1>では、対応可否の入力は「〇、△、×」の中から選択する。
【０１８３】
図４８の<2>では、その他の内容はコメント入力する。
【０１８４】
＜施設拡張情報画面＞
図４９に、施設拡張情報の画面を示す。
【０１８５】
図４９の入力項目は次の通りである。
【０１８６】
［入力項目］
・加算
・窓口（担当）
・食事形態
・料金
・診療科目
・部屋について
・保証人なしの対応
図４９の<1>では、料金は金額とコメントの入力ができる。総額の金額は数値のみの入力となる。その他はフリー入力である。
【０１８７】
※料金以外の項目はフリー入力である
図５０に、施設拡張情報の続きの図を示す。
【０１８８】
図５０の入力項目は次の通りである。
【０１８９】
［入力項目］
・連携医院
・連携先
・職員体制
・備考
図５０の<2>では、「追加」ボタンで、連携医院を選択し、図５１に示す連携施設追加画面が表示される。
【０１９０】
図５１において、検索した施設名をクリックして追加する。これにより、「閉じる」ボタンをクリックすることで「連携施設追加画面」が閉じる。
【０１９１】
図５０の<3>では<2>と同じ内容となるので<1>を参照。
【０１９２】
※その他の項目はフリー入力である。
【０１９３】
＜資料取込画面＞
図５２に、資料取込の画面を示す。
【０１９４】
図５２における表示項目は次の通りである。
【０１９５】
［表示項目］
・取込んだ資料の名称
・編集ボタン
図５２の<1>では、「編集」ボタンクリックすることで資料の編集ができる。
【０１９６】
図５２の<2>では、資料の名称をクリックすることで内容を閲覧できる。
【０１９７】
＜設定画面＞
図５３に、設定画面を示す。設定画面は、ユーザー登録やパスワード変更を行う画面である。
【０１９８】
設定画面は、ユーザー登録やパスワードの変更を行う画面である
図５３の<1>では、「ユーザー登録」ボタンをクリックすることで、図５４に示すユーザー登録画面が表示される。
【０１９９】
図５４では次の作業を行う。
【０２００】
［ユーザー登録］
・区分は、管理者又は一般を選択する。
【０２０１】
・氏名は、ユーザー名を入力する。
【０２０２】
・loginIDは、ログインに必要なIDを入力する。
【０２０３】
・passwordは、ログインに必要なパスワードを入力する。
【０２０４】
・種別は、施設検索画面の種別の初期設定を選択する。
【０２０５】
・「登録」ボタンをクリックすることで初期設定を選択できる。
【０２０６】
・「新規」ボタンをクリックすることで入力内容を初期化して新規入力ができるようになる。
【０２０７】
・「削除」ボタンでユーザーの削除ができる。
【０２０８】
図５４の右側の図では、次のことができる。
【０２０９】
・表示件数を選択（10,20,50,100）できる。初期設定は20件。
【０２１０】
・「＜」「＞」ボタンをクリックしてページ移動できる。
【０２１１】
・件数を表示する。
【０２１２】
・氏名をクリックして内容を編集する。
【０２１３】
図５３の<2>では、「パスワード変更」ボタンをクリックすることで、図５５に示すパスワード変更画面が表示される。図５５では、次のことが行われる。
【０２１４】
・「現在のパスワード」は、現在のパスワードが表示される。
【０２１５】
・「新しいパスワード」は、新しいパスワードを入力する。
【０２１６】
・「新しいパスワード（確認）」は、新しいパスワードを再度入力する。
【０２１７】
・「パスワードを変更する」ボタンをクリックすることでパスワードの変更が完了する。
【符号の説明】
【０２１８】
１０    インターネット
１１    顧客端末
１２    介護情報処理サーバ
１３    アクセス制御部
１４    表示画面作成処理部
１５    検索処理部
１６    顧客管理データベース
１７    更新情報管理データベース
１８    施設情報管理データベース
１９    資料管理データベース
２０    ローカル掲示板管理データベース
【図１】
2020052762.tif 000003
【図２】
2020052762.tif 000004
【図３】
2020052762.tif 000005
【図４】
2020052762.tif 000006
【図５】
2020052762.tif 000007
【図６】
2020052762.tif 000008
【図７】
2020052762.tif 000009
【図８】
2020052762.tif 000010
【図９】
2020052762.tif 000011
【図１０】
2020052762.tif 000012
【図１１】
2020052762.tif 000013
【図１２】
2020052762.tif 000014
【図１３】
2020052762.tif 000015
【図１４】
2020052762.tif 000016
【図１５】
2020052762.tif 000017
【図１６】
2020052762.tif 000018
【図１７】
2020052762.tif 000019
【図１８】
2020052762.tif 000020
【図１９】
2020052762.tif 000021
【図２０】
2020052762.tif 000022
【図２１】
2020052762.tif 000023
【図２２】
2020052762.tif 000024
【図２３】
2020052762.tif 000025
【図２４】
2020052762.tif 000026
【図２５】
2020052762.tif 000027
【図２６】
2020052762.tif 000028
【図２７】
2020052762.tif 000029
【図２８】
2020052762.tif 000030
【図２９】
2020052762.tif 000031
【図３０】
2020052762.tif 000032
【図３１】
2020052762.tif 000033
【図３２】
2020052762.tif 000034
【図３３】
2020052762.tif 000035
【図３４】
2020052762.tif 000036
【図３５】
2020052762.tif 000037
【図３６】
2020052762.tif 000038
【図３７】
2020052762.tif 000039
【図３８】
2020052762.tif 000040
【図３９】
2020052762.tif 000041
【図４０】
2020052762.tif 000042
【図４１】
2020052762.tif 000043
【図４２】
2020052762.tif 000044
【図４３】
2020052762.tif 000045
【図４４】
2020052762.tif 000046
【図４５】
2020052762.tif 000047
【図４６】
2020052762.tif 000048
【図４７】
2020052762.tif 000049
【図４８】
2020052762.tif 000050
【図４９】
2020052762.tif 000051
【図５０】
2020052762.tif 000052
【図５１】
2020052762.tif 000053
【図５２】
2020052762.tif 000054
【図５３】
2020052762.tif 000055
【図５４】
2020052762.tif 000056
【図５５】
2020052762.tif 000057